(57)【要約】      （修正有）【課題】構造が簡単で、機能が揃った仰臥アスレチックマシンを提供する。【解決手段】仰臥アスレチックマシンは、臥せ板１、マシンフレーム２、スイング棒３、上足接触棒４、下足接触棒５、弾力引き紐６を備え、スイング棒３の上端は、マシンフレーム２の垂直サポートフレーム２２の上端に係合して接続し、下足接触棒５中部はスイング棒３の下端に固定し、弾力引き紐６は、スイング棒３と垂直サポートフレーム２２との間をめぐって接続し、臥せ板１はマシンフレーム２の縦梁２１上に固定し、縦梁２１と垂直サポートフレーム２２は三角形を構成し、縦梁２１上に設置する臥せ板１は、下端が地面に接触するように斜めに置き、挿入ピンをスイング棒３の上部と垂直サポートフレーム２２上部のピン孔２２１内に挿入すると、スイング棒３は垂直サポートフレーム２２に相対して揺動することがなく、腹筋を鍛錬する運動に用いることができる。【選択図】図１
0003166604.tif 000002
【実用新案登録請求の範囲】
【請求項１】
仰臥アスレチックマシンは、臥せ板、マシンフレーム、スイング棒、上足接触棒、下足接触棒、弾力引き紐を備え、
前記マシンフレームは、縦梁、垂直サポートフレーム、前底フレーム、後底フレームにより構成され、
前記縦梁の前端は、前記垂直サポートフレームの中部に垂直に固定され、前記縦梁の後端は、前記後底フレームの中部に垂直に固定され、
前記垂直サポートフレームの上端は、前記上足接触棒の中部に固定され、前記垂直サポートフレームの下端は、前記前底フレームの中部に固定され、
前記縦梁と前記垂直サポートフレームは、三角形サポートを構成し、
前記スイング棒の上端は、前記垂直サポートフレームの上端に係合して接続され、
前記下足接触棒の中部は、前記スイング棒の下端に固定され、
前記弾力引き紐は、前記スイング棒と前記垂直サポートフレームとの間をめぐって接続し、
前記臥せ板は、前記マシンフレームの縦梁上に固定されることを特徴とする仰臥アスレチックマシン。
【請求項２】
前記弾力引き紐の内端は、前記垂直サポートフレームの下部に固定され、
前記弾力引き紐の中部は、前記垂直サポートフレームの上部のプーリー、垂直サポートフレームの下部のプーリー、スイング棒の下端のプーリーをめぐって設置し、その外端が、前記スイング棒の中部に掛けて接続されることを特徴とする請求項１に記載の仰臥アスレチックマシン。
【請求項３】
前記スイング棒上には、多数の凹溝を設置し、
前記弾力引き紐の外端上には、フックを設置し、前記フックは、前記スイング棒上の多数の凹溝の内の１個の凹溝に掛けて接続されることを特徴とする請求項１に記載の仰臥アスレチックマシン。
【請求項４】
前記スイング棒の上部と前記マシンフレームの垂直サポートフレームの上部と接触する位置には、前記スイング棒の上部と前記マシンフレームの垂直サポートフレームの上部を貫通するピン孔を設置し、
前記ピン孔内には、挿入ピンを挿入してなることを特徴とする請求項１に記載の仰臥アスレチックマシン。
【請求項５】
前記マシンフレームの垂直サポートフレームの頂点部には、挿入ピンを挿入するピン孔を設置することを特徴とする請求項１に記載の仰臥アスレチックマシン。
【請求項６】
前記マシンフレームはさらに、ハンドルを備え、
前記ハンドルは、前記縦梁上を横方向に通って設置されることを特徴とする請求項１に記載の仰臥アスレチックマシン。
【考案の詳細な説明】
【技術分野】
【０００１】
本考案はアスレチックマシンに関し、特に仰臥アスレチックマシンに関する。
【背景技術】
【０００２】
経済の急速な発展に従い、人々の健康及び生活水準に対する日常的な重視は日々高まっている。これにより、アスレチックマシンの使用は日増しに広がっており、人々のアスレチックマシンの機能への要求もますます高くなっている。その結果、肢体鍛錬の機能はもちろん、理学療法、マッサージ、美容等の他の機能を備えることも求められるようになっている。
【０００３】
オフィスワーカー、ホワイトカラーが激増し、社会的及び仕事におけるプレッシャーも強くなることで、腰や脊椎に問題を抱える人も増えている。そのため、人々は、人体の各部位を鍛錬することができる簡単な構造のアスレチックマシンを切実に求めている。
本考案は、従来の仰臥アスレチックマシンの上記した欠点に鑑みてなされたものである。
【考案の概要】
【考案が解決しようとする課題】
【０００４】
本考案が解決しようとする課題は、構造が簡単で、機能が揃った仰臥アスレチックマシンを提供することである。
【課題を解決するための手段】
【０００５】
上記課題を解決するため、本考案は下記の仰臥アスレチックマシンを提供する。
仰臥アスレチックマシンは、臥せ板、マシンフレーム、スイング棒、上足接触棒、下足接触棒、弾力引き紐を備え、該マシンフレームは、縦梁、垂直サポートフレーム、前底フレーム、後底フレームにより組成し、該縦梁の前端は、該垂直サポートフレームの中部に垂直に固定し、該縦梁の後端は、該後底フレームの中部に垂直に固定し、該垂直サポートフレームの上端は、該上足接触棒の中部に固定し、該垂直サポートフレームの下端は、該前底フレームの中部に固定し、該縦梁と該垂直サポートフレームは、三角形サポートを構成し、該スイング棒の上端は、該垂直サポートフレームの上端に係合して接続し、該下足接触棒中部は、該スイング棒の下端に固定し、該弾力引き紐は、該スイング棒と該垂直サポートフレームとの間をめぐって接続し、該臥せ板は、該マシンフレーム縦梁上に固定し、該弾力引き紐の内端は、該垂直サポートフレームの下部に固定し、該弾力引き紐の中部は、該垂直サポートフレーム上部のプーリー、該垂直サポートフレーム下部のプーリー、該スイング棒下端のプーリーをめぐって設置した後、その外端は、該スイング棒の中部に掛けて接続し、該スイング棒上には、多数の凹溝を設置し、該弾力引き紐の外端上には、フックを設置し、該フックは、該スイング棒上の多数の凹溝の内の１個の凹溝に掛けて接続することができ、該スイング棒の上部と該マシンフレームの垂直サポートフレーム上部の接触位置には、該スイング棒の上部と該マシンフレームの垂直サポートフレーム上部を貫通するピン孔を設置し、該ピン孔内には、挿入ピンを挿入して接続することができ、該マシンフレームは、該垂直サポートフレームの頂点部に、該挿入ピンを設置するピン孔を設置し、該マシンフレームはさらに、ハンドルを備え、該ハンドルは、該縦梁上を横方向に通って設置し、上記した構成により、該縦梁と該垂直サポートフレームとは三角形を構成し、該縦梁上に設置する臥せ板は、下端が地面に接触するように斜めに置き、該挿入ピンを該スイング棒の上部と該マシンフレーム垂直サポートフレーム上部のピン孔内に挿入すると、該スイング棒はマシンフレームの垂直サポートフレームに相対して揺れ動くことがなく、腹筋を鍛錬する運動に用いることができ、該挿入ピンを、該スイング棒の上部と該マシンフレーム垂直サポートフレーム上部のピン孔内から抜き取ると、該スイング棒をマシンフレームの垂直サポートフレームに相対して動かすことができ、該弾性引き紐は減衰力を提供し、太ももの鍛錬に用いることができる。
【考案の効果】
【０００６】
本考案の仰臥アスレチックマシンは、構造が簡単で、機能が揃っているという効果を備える。
【図面の簡単な説明】
【０００７】
【図１】（Ａ）は本考案の軸測図であり、（Ｂ）は本考案フックを、スイング棒の凹溝に掛けて接続する様子を示す模式図である。
【図２】本考案スイング棒を展開した様子を示す軸測図である。
【図３】本考案スイング棒を閉じた様子を示す軸測図である。
【図４】本考案挿入ピンを抜き取った様子を示す模式図である。
【図５】本考案において、手を鍛える様子を示す模式図である。
【図６】本考案において、太ももを鍛える様子を示す模式図である。
【図７】本考案において、腹筋を鍛える様子を示す模式図である。
【図８】本考案において、反対方向に太ももを鍛える様子を示す模式図である。
【図９】本考案において、反対方向に腕立て伏せをする様子を示す模式図である。
【考案を実施するための形態】
【０００８】
以下に図面を参照しながら本考案を実施するための最良の形態について詳細に説明する。
【０００９】
図１、３に示すように、本考案仰臥アスレチックマシンは、臥せ板1、マシンフレーム2、スイング棒3、上足接触棒4、下足接触棒5、弾力引き紐6を備える。
【００１０】
マシンフレーム2は、縦梁21、垂直サポートフレーム22、前底フレーム23、後底フレーム24、ハンドル25により構成される。縦梁21の前端は、垂直サポートフレーム22の中部に垂直に固定する。縦梁21の後端は、後底フレーム24の中部に垂直に固定する。垂直サポートフレーム22の上端は、上足接触棒4の中部に固定する。垂直サポートフレーム22の下端は、前底フレーム23の中部に固定する。こうして、縦梁21と垂直サポートフレーム22とは、三角形サポートを構成する。ハンドル25は、縦梁21上を横方向に通って設置する。臥せ板1は、マシンフレーム2縦梁21上に固定する。スイング棒3の上端は、垂直サポートフレーム22の上端に係合して接続し、下足接触棒5中部は、スイング棒3の下端に固定する。
【００１１】
図２と、図１に合わせて示すように、スイング棒3上には、多数の凹溝31を設置する。弾力引き紐6の外端上には、フック61を設置する。フック61は、スイング棒3上の多数の凹溝31の内の１個の凹溝31に掛けて接続することができる。本実施例中では、弾力引き紐6の設置方式は以下の通りである。弾力引き紐6の内端は、垂直サポートフレーム22の下部に固定する。弾力引き紐6の中部は、垂直サポートフレーム22上部のプーリー71、垂直サポートフレーム22下部のプーリー72、スイング棒3下端のプーリー73をめぐって設置した後、その外端は、フック61により、スイング棒3の中部凹溝31内に掛けて接続される(図１の（Ａ）を参照)。
【００１２】
図１に示すように、スイング棒3の上部とマシンフレーム2の垂直サポートフレーム22上部の接触位置には、スイング棒3の上部とマシンフレーム2の垂直サポートフレーム22上部を貫通するピン孔221を設置する。ピン孔221内には、挿入ピン8を挿入して接続することができる。スイング棒3の頂点部には、挿入ピン8の設置孔32を設置する。挿入ピン8は、設置孔32内に設置することができる。
【００１３】
図７に示すように、挿入ピン8を、垂直サポートフレーム22上部のピン孔221に挿入する。練習者10は、足を下足接触棒5上のスポンジ管に掛け、身体を後方へと寝かせ、腹筋運動を行い、腹部を鍛錬することができる。練習者10は、両手でハンドル25上のスポンジ管26を握り(図８を参照)、腕立て伏せを行うことができる。
【００１４】
図４に示すように、挿入ピン8を、垂直サポートフレーム22上部のピン孔221から抜き取れば、練習者10は手で下足接触棒5上のスポンジ管26を握り、上へ、下へと運動でき、腕の力を鍛えることができる(図５を参照)。練習者10は、足を下足接触棒5上のスポンジ管26に掛け(図６を参照)、上へ、下へと運動できる。両手で後底フレーム24上を握り(図９を参照)、片足のかかとを、下足接触棒5上のスポンジ管26に掛け、上へ、下へと運動でき、さらにもう一方の足に換え、相同の動作を行うことができる。
【００１５】
上記は本考案の実施例に過ぎず、マシンフレームの形状はさまざまなタイプが可能で、すなわち本考案実施の範囲に限定するものではない。本考案の実用新案登録請求の範囲、及び明細書内容に基づく、等価応用或いは部品（構造）の転換、置換、数量の増減はすべて、本考案の保護範囲に含むものとする。
【産業上の利用可能性】
【００１６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１７】
1：臥せ板
10：練習者
2：マシンフレーム
21：縦梁
22：垂直サポートフレーム
23：前底フレーム
24：後底フレーム
25：ハンドル
26：スポンジ管
221：ピン孔
3：スイング棒
31：凹溝
32：設置孔
4：上足接触棒
5：下足接触棒
6：弾力引き紐
61：フック
71：プーリー
72：プーリー
73：プーリー
8：挿入ピン
【図１】
0003166604.tif 000003
【図２】
0003166604.tif 000004
【図３】
0003166604.tif 000005
【図４】
0003166604.tif 000006
【図５】
0003166604.tif 000007
【図６】
0003166604.tif 000008
【図７】
0003166604.tif 000009
【図８】
0003166604.tif 000010
【図９】
0003166604.tif 000011